(57)【要約】【課題】詰まった小切手の除去時、磁気ヘッド等のメンテナンス時に簡単な操作により小切手搬送路を開閉できる小切手読取装置を提案すること。【解決手段】小切手読取装置１では、上流側開閉カバー３１および下流側開閉カバー３２を共通の支軸３３を中心として左右に開くとＵ字状の小切手搬送路５が開放状態に切り替わる。小切手搬送路５に詰まった小切手４の除去作業、磁気ヘッド８４、スキャナ８２、８３のメンテナンス作業の際には、ワンタッチ操作により小切手搬送路５を開放状態に切り替えることができ、作業後に開放状態の小切手搬送路５を元の状態に戻す操作もワンタッチ操作により行うことができる。メンテナンスが必要な部品のみを小切手搬送路の開放時に露出させるようにしておけば、作業時に、部品に損傷を与えるおそれがなく、また、操作者が指先を怪我するおそれもない。【選択図】図２
2008162750.tif 000002
【特許請求の範囲】
【請求項１】
装置ケースと、
この装置ケースに開閉可能に取り付けた開閉カバーと、
シート状媒体を搬送するためにＵ字状に湾曲して延びている所定幅の媒体搬送路とを有し、
この媒体搬送路は、前記装置ケースと前記開閉カバーとの間に形成されており、
前記開閉カバーは、前記媒体搬送路の上流側搬送路部分を規定している上流側開閉カバーと、前記媒体搬送路の下流側搬送路部分を規定している下流側開閉カバーと、これら上流側開閉カバーおよび下流側開閉カバーの開閉中心を規定している共通の支軸とを備えており、
前記上流側開閉カバーおよび前記下流側開閉カバーを、前記装置ケースとの間に前記媒体搬送路を形成している閉じ位置から開くと、当該媒体搬送路が開放状態に切り替わることを特徴とする媒体処理装置。
【請求項２】
請求項１において、
前記上流側搬送路部分に沿ってシート状媒体を搬送するための上流側搬送ローラと、
この上流側搬送ローラにシート状媒体を押し付けるための上流側押圧ローラと、
前記下流側搬送路部分に沿ってシート状媒体を搬送するための下流側搬送ローラと、
この下流側搬送ローラにシート状媒体を押し付けるための下流側押圧ローラとを有しており、
前記装置ケースの側には、前記上流側搬送ローラおよび前記下流側搬送ローラが配置されており、
前記上流側開閉カバーには前記上流側押圧ローラが搭載されており、
前記下流側開閉カバーには前記下流側押圧ローラが搭載されていることを特徴とする媒体処理装置。
【請求項３】
請求項１または２において、
前記上流側搬送路部分を通過するシート状媒体に印刷されている磁気インク文字を読み取るための磁気ヘッドを有しており、
前記上流側開閉カバーを開けると、前記磁気ヘッドが露出状態になることを特徴とする媒体処理装置の媒体搬送路機構。
【請求項４】
請求項１ないし３のうちのいずれかの項において、
前記上流側搬送路部分を通過するシート状媒体の印刷画像を読み取るためのスキャナを有しており、
前記上流側開閉カバーを開けると、前記スキャナの画像読取面が露出状態になることを特徴とする媒体処理装置の媒体搬送路機構。
【請求項５】
請求項４において、
前記スキャナとして、前記上流側搬送路部分における前記装置ケースの側に配置されている第１スキャナと、前記上流側開閉カバーに搭載されている第２スキャナとを備えていることを特徴とする媒体処理装置の媒体搬送路機構。
【請求項６】
請求項１ないし５のうちのいずれかの項において、
前記下流側搬送路部分を通過するシート状媒体に印刷を行う印刷機構を有しており、
前記下流側開閉カバーを開けると、前記印刷機構が露出状態になることを特徴とする媒体処理装置の媒体搬送機構。
【請求項７】
請求項１ないし６のうちのいずれかの項において、
前記上流側開閉カバーを、前記閉じ位置にロックしている上流側ロック機構と、
この上流側ロック機構によるロックを解除するために操作される上流側操作部材と、
前記下流側開閉カバーを、前記閉じ位置にロックしている下流側ロック機構と、
この下流側ロック機構によるロックを解除するために操作される下流側操作部材とを有していることを特徴とする媒体処理装置。
【請求項８】
請求項１ないし７のうちのいずれかの項において、
前記シート状媒体は小切手であり、
読取対象の小切手を供給するための小切手供給部と、読取後の小切手を回収するための小切手排出部とを有しており、
前記小切手供給部から送り出された小切手が前記媒体搬送路を経由して前記小切手排出部に案内されることを特徴とする媒体処理装置。
【発明の詳細な説明】
【技術分野】
【０００１】
本発明は、磁気インク文字が印刷されている小切手、手形、請求書（スタブ）などのシート状媒体から磁気インク文字を読み取るために用いる小切手読取装置などの媒体処理装置に関する。さらに詳しくは、Ｕ字状に湾曲して延びる媒体搬送路内でシート状媒体が詰まった場合の回復処理、媒体搬送路に配置されている磁気ヘッド、スキャナなどのメンテナンス、部品交換作業などを簡単に行うことができるようにした媒体処理装置に関するものである。
【背景技術】
【０００２】
銀行などの金融機関においては、持ち込まれた小切手、手形、請求書などの小切手類を小切手読取装置に掛けて、それらの画像および磁気インク文字を読み取り、読取結果に応じて小切手類の仕分け作業などを行っている。小切手読取装置はデスク、カウンタなどに置いて使用されるので、小切手を搬送する搬送路を小切手供給側から小切手回収側に向けてＵ字状に湾曲して延びる状態に形成して、装置寸法の小型、コンパクト化が図られている。
【０００３】
このような小切手読取装置では、Ｕ字状の搬送路内に小切手が詰まった場合、搬送路に配置されている磁気ヘッド、スキャナのクリーニングなどのメンテナンスを行う場合には、装置ケースを外して搬送路を開放状態にして、磁気ヘッドなどを露出させるようにしている。
【０００４】
特許文献１にはこのような構造を備えた銀行小切手類の読取装置が開示されている。ここに開示の小切手類の読取装置では、Ｕ字状の搬送路を覆っているケースのうち、スキャナが配置されている部分を覆っているケース上側部分が取り外し可能となっている。また、スキャナのセンサ部が垂直軸を中心として、固定側のスキャナユニットに対して開閉可能となっている。搬送路に小切手が詰まった場合などにおいては、ケース上側部分を取り外し、スキャナのセンサ部を開き、搬送路上にある小切手を取り除くことができる。
【特許文献１】米国特許出願公開第２００４／０２５７６２６号公報
【発明の開示】
【発明が解決しようとする課題】
【０００５】
しかしながら、ケース上側部分を取り外して搬送路を露出させて詰まっている小切手を取り出す際には、ケースによって覆われていた内部の回路基板、搬送機構の部品なども露出状態になるので、これらの部分に操作者の指先などが接触する危険性が高い。露出した部分に指先などが当ると、回路基板の短絡、部品損傷、あるいは指先に切り傷が付くなどのおそれがある。特に、スキャナ、磁気ヘッドのクリーニングなどのメンテナンス時には、メンテナンス用の工具が露出している部分に当って部品を破壊するおそれがある。さらに、取り外したケース上側部分を元の位置に取り付ける際には正確に位置決めして嵌め込む必要があり、ケース上側部分の取り付けをワンタッチ操作で行うことが困難である。
【０００６】
本発明の課題は、このような点に鑑みて、Ｕ字状に湾曲して延びる媒体搬送路内でシート状媒体が詰まった場合の回復処理、媒体搬送路に配置されている磁気ヘッド、スキャナなどのメンテナンス、部品交換時に、内蔵部品や指などを傷付けることなくワンタッチ操作によって媒体搬送路を開放状態に切り替えることができ、作業終了後にも内蔵部品や指などを傷付けることなくワンタッチの操作で媒体搬送路を元の状態に戻すことのできる媒体処理装置を提案することにある。
【課題を解決するための手段】
【０００７】
上記の課題を解決するために、本発明の媒体処理装置は、
装置ケースと、
この装置ケースに開閉可能に取り付けた開閉カバーと、
シート状媒体を搬送するためにＵ字状に湾曲して延びている所定幅の媒体搬送路とを有し、
この媒体搬送路は、前記装置ケースと前記開閉カバーとの間に形成されており、
前記開閉カバーは、前記媒体搬送路の上流側搬送路部分を規定している上流側開閉カバーと、前記媒体搬送路の下流側搬送路部分を規定している下流側開閉カバーと、これら上流側開閉カバーおよび下流側開閉カバーの開閉中心を規定している共通の支軸とを備えており、
前記上流側開閉カバーおよび前記下流側開閉カバーを、前記装置ケースとの間に前記媒体搬送路を形成している閉じ位置から開くと、当該媒体搬送路が開放状態に切り替わることを特徴としている。
【０００８】
本発明の媒体処理装置では、Ｕ字状の媒体搬送路を規定している上流側開閉カバーおよび下流側開閉カバーを共通の支軸を中心として開くと媒体搬送路の上流側搬送路部分および下流側搬送路部分が開放状態に切り替わる。したがって、ワンタッチ操作により上流側および下流側搬送路部分を開放状態にでき、そこに詰まっているシート状媒体の除去作業などを行うことができる。また、作業終了後にも、共通の支軸を中心として上流側開閉カバーおよび下流側開閉カバーを閉じるというワンタッチ操作によって、上流側および下流側搬送路部分を元の状態に戻すことができる。さらに、上流側および下流側搬送路部分を開放状態に切り替える操作、および元の状態に戻す操作においては、上流側開閉カバーおよび下流側開閉カバーに触れるだけでよいので、内蔵部品に傷が付くことがなく、また、操作者が指に怪我をするなどのおそれもない。
【０００９】
ここで、前記上流側搬送路部分に沿ってシート状媒体を搬送するために、１個または複数個の上流側搬送ローラと、この上流側搬送ローラにシート状媒体を押し付けるための上流側押圧ローラとが配置される。同様に、前記下流側搬送路部分に沿ってシート状媒体を搬送するために、１個または複数個の下流側搬送ローラと、この下流側搬送ローラにシート状媒体を押し付けるための下流側押圧ローラとが配置される。この場合には、前記装置ケースの側に前記上流側搬送ローラおよび前記下流側搬送ローラを配置し、前記上流側開閉カバーに前記上流側押圧ローラを搭載し、前記下流側開閉カバーに前記下流側押圧ローラを搭載しておけばよい。上流側および下流側開閉カバーを開くと、これらの搬送ローラおよび押圧ローラも相互に離れて開くので、これらの間に挟まった状態で搬送路内に詰まっているシート状媒体を簡単に取り出すことができる。
【００１０】
また、小切手読取装置などの媒体処理装置は、前記上流側搬送路部分を通過するシート状媒体に印刷されている磁気インク文字を読み取るための磁気ヘッドを有しているので、前記上流側開閉カバーを開けると前記磁気ヘッドが露出状態になるようにすればよい。このようにすれば、上流側開閉カバーを開けることにより、磁気ヘッドの部分に詰まった小切手などのシート状媒体を簡単に取り出すことができ、磁気ヘッドのクリーニングなどのメンテナンス作業も簡単にできる。
【００１１】
同様に、小切手読取装置などの媒体処理装置は、前記上流側搬送路部分を通過するシート状媒体の印刷画像を読み取るためのスキャナを有しているので、前記上流側開閉カバーを開けると、前記スキャナの画像読取面が露出状態になるようにすればよい。このようにすれば、上流側開閉カバーを開けることにより、スキャナの部分に詰まった小切手などのシート状媒体を簡単に取り出すことができ、スキャナのクリーニングなどのメンテナンス作業も簡単にできる。
【００１２】
小切手読取装置などでは、小切手の両面の印刷画像を読み取るために一対のスキャナを備えている場合がある。この場合には、前記上流側搬送路部分における前記装置ケースの側に第１スキャナを配置し、前記上流側開閉カバーに第２スキャナを搭載しておくことができる。
【００１３】
次に、小切手読取装置などの媒体処理装置は、小切手に決済済みなどの裏書き等を行うために、前記下流側搬送路部分を通過するシート状媒体に印刷を行う印刷機構を有している。この場合には、前記下流側開閉カバーを開けると前記印刷機構が露出状態になるようにすれば、下流側開閉カバーを開けることにより、印刷機構の部分に詰まった小切手などのシート状媒体を簡単に取り出すことができ、印刷機構の消耗部品の交換などの作業も簡単に行うことができる。
【００１４】
ここで、上流側開閉カバーと下流側開閉カバーは、別個のロック機構によって、上流側および下流側搬送路部分を規定している閉じ位置にロックされていることが望ましい。それぞれを別個のロック機構によって閉じ位置に精度良くロックすることにより、それぞれに搭載されている磁気ヘッド、スキャナ、印刷機構などの位置決めを精度良く行うことができる。
【００１５】
次に、本発明の媒体処理装置は小切手読取装置として用いることができ、この場合には、読取対象の小切手を供給するための小切手供給部と、読取後の小切手を回収するための小切手排出部とが配置され、前記小切手供給部から送り出された小切手が前記媒体搬送路を経由して前記小切手排出部に案内される。この場合、小切手には手形や請求書も含まれる。
【発明の効果】
【００１６】
本発明の媒体処理装置では、Ｕ字状の媒体搬送路を、装置ケースと、上流側開閉カバーおよび下流側開閉カバーとの間に形成し、これら上流側開閉カバーおよび下流側開閉カバーを共通の支軸を中心として開けることができるようにしてある。媒体搬送路に詰まったシート状媒体の除去作業、媒体搬送路に配置されている磁気ヘッド、スキャナのクリーニングなどのメンテナンス作業の際には、上流側開閉カバーおよび下流側開閉カバーを支軸を中心として開くというワンタッチ操作により、媒体搬送路を開放状態に切り替えることができる。同様に、作業後に開放状態の媒体搬送路を元の状態に戻す操作も上流側および下流側開閉カバーを共通の支軸を中心として閉じるというワンタッチ操作によって簡単に行うことができる。また、メンテナンスが必要な部品のみを媒体搬送路の開放時に露出させるようにしておくことにより、作業時に、部品に損傷を与えるおそれがなく、また、操作者が指先を怪我するおそれもない。
【発明を実施するための最良の形態】
【００１７】
以下に、図面を参照して、本発明を適用した小切手読取装置の実施の形態を説明する。
【００１８】
図１は本実施の形態に係る小切手読取装置の外観斜視図である。小切手読取装置１は、装置ケース２と開閉カバー３を備えている。装置ケース２と開閉カバー３の間には、小切手４を搬送するための小切手搬送路５が形成されており、本例の小切手搬送路５は、上から見た場合に略Ｕ字状に湾曲して延びている細幅の垂直溝によって規定されている。小切手搬送路５の小切手搬送方向の上流側の端は、細幅の垂直溝からなる小切手送り出し通路６を介して広幅の垂直溝からなる小切手供給部７に繋がっている。小切手搬送路路５の反対側の下流端は、左右に分岐している細幅の垂直溝からなる左右の分岐通路８および９を介して、左右の広幅の垂直溝からなる第１および第２小切手排出部１１、１２に繋がっている。
【００１９】
小切手４は、その表面４ａの下端部分に、その長辺方向に磁気インク文字列４Ａが印刷されている。また、表面４ａには、所定の模様の背景に、金額、振出人、番号、サインなどが記載されており、裏面４ｂには裏書き欄などが設けられている。小切手４は、上下方向を揃え、表面４ａがＵ形状の小切手搬送路５の外側を向くように、小切手供給部７に挿入される。
【００２０】
小切手供給部７から小切手送り出し通路６を介して送り出された小切手４は、小切手搬送路５に沿って搬送されながら、その表面４ａに印刷されている磁気インク文字列４Ａ、その表面画像および裏面画像が読み取られる。これらの情報が正常に読み取られた小切手４は、裏書き印刷が行われた後に、第１小切手排出部１１に振り分けられて、そこに排出され、読取不能、読取異常などが発生した小切手４については、裏書き印刷が行われることなく、第２小切手排出部１２に振り分けられて、そこに排出されるようになっている。
【００２１】
図２は開閉カバー３を開いた搬送路開放状態の小切手読取装置１を示す外観斜視図であり、図３は同状態での小切手読取装置１を反対側から見た場合の外観斜視図である。これらの図も参照して説明すると、装置ケース２は、Ｕ字状の小切手搬送路５に沿った輪郭形状の垂直な外周側面部分２１を備えた中央ケース部分２２と、左右の側方ケース部分２３、２４と、中央ケース部分２２および側方ケース部分２４の間に配置されている仕切り用ケース部分２５とを備えている。中央ケース部分２２と側方ケース部分２３の間には小切手供給部７が形成されている。中央ケース部分２２と他方の側方ケース部分２４の間は、仕切り用ケース部分２５によって左右に仕切られて、小切手排出部１１、１２が形成されている。
【００２２】
中央ケース部分２２における左右の側方ケース部分２３、２４から突出している部分の外周側面部分２１は左右から開閉カバー３によって覆われている。開閉カバー３は、側方ケース部分２３の側に配置されている上流側開閉カバー３１と、側方ケース部分２４の側に配置されている下流側開閉カバー３２とを備えている。中央ケース部分２２と上流側開閉カバー３１の間に、小切手搬送路５における上流側搬送路部分５１が形成されており、中央ケース部分２２と下流側開閉カバー３２の間に、小切手搬送路５における下流側搬送路部分５２が形成されている。
【００２３】
上流側開閉カバー３１の先端部３１ａと下流側開閉カバー３２の先端部３２ａは、装置ケース２の側に配置されている垂直な支軸３３を中心として左右に開閉可能な状態で、当該支軸３３に取り付けられている。本例では、支軸３３は、Ｕ字状に湾曲している小切手搬送路５における搬送方向の中間点にほぼ対応する部位に配置されている。図２、３に示すように、上流側開閉カバー３１および下流側開閉カバー３２を左右に開くと、上流側搬送路部分５１および下流側搬送路部分５２が開放状態に切り替わる。
【００２４】
ここで、上流側開閉カバー３１および下流側開閉カバー３２は、それぞれ別個のロック機構によってそれらの閉じ位置にロックされている。上流側開閉カバー３１のロック機構は、上流側開閉カバー３１の後端面３１ｂに形成したカバー側係合突起３４と、側方ケース部分２３における後端面３１ｂに対峙する端面２３ａに進退可能に取り付けた係合突起３５とを備えている。係合突起３５は不図示のばね力によって突出方向に付勢されている。側方ケース部分２３の外側面部分にはロック解除用のスライドボタン３６が取り付けられている。
【００２５】
このスライドボタン３６をばね力に逆らってスライドさせると、係合突起３５がカバー側係合突起３４から外れ、上流側開閉カバー３１を支軸３３を中心として側方に開くことができる。開いている上流側開閉カバー３１を閉じると、上流側開閉カバー３１は、その後端面３１ｂより突出するカバー側係合突起３４の角によって係合突起３５を押し込みながら移動する。その閉じ位置まで移動すると、係合突起３５がカバー側係合突起３４に係合し、ロック状態に戻る。他方の下流側開閉カバー３２にも同様なロック機構（カバー側係合突起３７、係合突起３８）およびロック解除用のスライドボタン（図示せず）が配置されている。
【００２６】
図４は小切手読取装置１の内部構造を示す説明図である。小切手供給部７には、ここから小切手４を小切手送り出し通路６を介して小切手搬送路５に送り出すための小切手送り出し機構が配置されている。小切手送り出し機構は、繰り出しローラ４１、送り出しローラ４２、この送り出しローラ４２に押し付けられているリタードローラ４３、送り出し用モータ４４、および小切手押し付け用のホッパ４５を備えている。送り出し用モータ４４が駆動すると、小切手供給部７に入れた小切手４がホッパ４５によって繰り出しローラ４１の側に押し付けられ、この状態で、繰り出しローラ４１および送り出しローラ４２が同期回転する。繰り出しローラ４１によって小切手４は送り出しローラ４２とリタードローラ４３の間に送り込まれる。リタードローラ４３には所定の回転負荷が与えられており、送り出しローラ４２に直接に接触している一枚の小切手４のみが他の小切手から分離されて小切手搬送路５に送り出される。
【００２７】
小切手搬送路５は、先に述べたように、小切手送り出し通路６を介して小切手供給部７に繋がっている上流側搬送路部分５１と、第１、第２小切手排出部１１、１２に繋がっている下流側搬送路部分５２とを備え、全体としてＵ字形状をしている。小切手供給部７から小切手搬送路５に送り出された小切手４を当該小切手搬送路５に沿って搬送する搬送機構は、第１〜第６搬送ローラ６１〜６６と、これらに押し付けられて連れ回りする第１〜第６押圧ローラ７１〜７６と、第１〜第６搬送ローラ６１〜６６を回転駆動するための搬送用モータ６７とを備えている。第１〜第６搬送ローラ６１〜６６は同期して回転するようになっている。搬送用モータ６７として、例えばステッピングモータが用いられている。
【００２８】
第１搬送ローラ６１は小切手送り出し通路６に配置され、第２および第３搬送ローラ６２、６３は、上流側搬送路部分５１における上流側の位置、およびその下流側の位置にそれぞれ配置されている。第４〜第６搬送ローラ６４〜６６は、下流側搬送路部分５２における上流端に近い位置、その中程の位置、およびその下流端にそれぞれ配置されている。
【００２９】
上流側搬送路部分５１における第２搬送ローラ６２の手前の位置には、その上流側から磁気インク文字着磁用の磁石８１および表面画像読取手段としての表面側コンタクトイメージスキャナ８２が配置されている。第２および第３搬送ローラ６２、６３の間には、裏面画像読取手段としての裏面側コンタクトイメージスキャナ８３および磁気インク文字読取用の磁気ヘッド８４が配置されており、磁気ヘッド８４には、当該ヘッドに小切手４を押し付けるための押圧ローラ８５が対峙している。
【００３０】
下流側搬送路部分５２における第５および第６搬送ローラ６５、６６の間には、裏書き印刷用の印刷機構８６が配置されている。印刷機構８６は小切手４に押圧される印刷位置と、この印刷位置から後退した待機位置の間を、駆動用モータ（図示せず）によって移動可能となっている。印刷機構８６は、印刷ヘッドの他、スタンプなどにより構成される。
【００３１】
小切手搬送路５には小切手搬送制御のために各種のセンサが配置されている。磁石８１の手前側の位置には、送り出される小切手の長さを検出するための用紙長検出器９１が配置されている。裏面側コンタクトイメージスキャナ８３と第２搬送ローラ６２の間には、小切手４が重なった状態で搬送されていることを検出するための重送検出器９２が配置されている。第４搬送ローラ６４の手前側の位置にはジャム検出器９３が配置されており、この検出器によって所定時間以上に亘って継続して小切手４が検出されている場合には、小切手搬送路５に小切手が詰まった紙詰まり状態になったことが分かる。第５搬送ローラ６５の手間側の位置には、印刷機構８６によって裏書きされる小切手の有無を検出するための印刷検出器９４が配置されている。さらに、第６搬送ローラ６６の下流側の位置、すなわち、小切手搬送路５から第１、第２小切手排出部１１、１２に分岐している分岐通路８、９の分岐位置には、これらに排出される小切手を検出するための排出検出器９５が配置されている。
【００３２】
また、分岐位置には、不図示の駆動モータによって切り替え操作される切り替え板９６が配置されている。切り替え板９６は、第１、第２小切手排出部１１、１２に対して、小切手搬送路５の下流端を選択的に切り替え、小切手４を選択された一方の小切手排出部１１、１２に導くためのものである。
【００３３】
ここで、再び、図２、３を参照して説明すると、上流側搬送路部分５１に配置されている表面側コンタクトイメージスキャナ８２と、押圧ローラ７２および７３とが上流側開閉カバー３１に搭載されている。また、下流側搬送路部分５２に配置されている押圧ローラ７４および７５が下流側開閉カバー３２に搭載されている。上流側開閉カバー３１を開くと、上流側搬送路部分５１が開放状態になると共に、表面側コンタクトイメージスキャナ８２および裏面側コンタクトイメージスキャナ８３の読取面８２ａ、８３ａが露出状態になる。また、装置ケース２の側に取り付けられている磁気ヘッド８４が露出状態になる。同様に、下流側開閉カバー３２を開くと、下流側搬送路部分５２が開放状態になると共に、装置ケース２の側に取り付けられている印刷機構８６が露出状態になる。
【００３４】
図２、３では、磁気ヘッド８４と、当該ヘッドに対峙しながら小切手４を押し付ける押圧ローラ８５は、共に装置ケース２側に搭載されている。ここで、押圧ローラ８５を上流側開閉カバー３１側に搭載し、押圧ローラ８５に対峙するように磁気ヘッド８４を装置ケース２側に搭載するように構成してもよい。この場合、上流側開閉カバー３１を開くと磁気ヘッド８４がより露出した状態とすることができ、メンテナンス作業がより容易に行うことができる。この場合、図２〜図４において、表面側コンタクトイメージスキャナ８２や裏面側コンタクトイメージスキャナ８３、印刷機構８６などは、搬送路５に対して逆側に配置されることになる。
【００３５】
このように構成した小切手読取装置１において、小切手４が小切手搬送路５内に詰まった場合には、左右のスライドボタン３６（図において一方のみを示してある。）を操作して、左右の上流側開閉カバー３１および下流側開閉カバー３２を支軸３３を中心として左右に開ける。ロック機構が解除されると、搬送ローラに押し付けられている押圧ローラの押圧力によって押されて、これら上流側および下流側開閉カバー３１、３２が開く。勿論、これら上流側および下流側開閉カバー３１、３２を支軸３３に取り付けた捻りばねなどの付勢部材によって開く方向に付勢しておいてもよい。いずれの場合においても、スライドボタン３６を操作するというワンタッチ操作により、これらを開けることができる。
【００３６】
これら上流側および下流側開閉カバー３１、３２が開くと、図２、３に示すように、小切手搬送路５（上流側搬送路部分５１および下流側搬送路部分５２）が開放状態になる。したがって、ここに詰まっている小切手４を簡単に除去できる。除去後は上流側および下流側開閉カバー３１、３２をワンタッチ操作で閉じることができる。
【００３７】
また、磁気ヘッド８４、表面側コンタクトイメージスキャナ８２、裏面側コンタクトイメージスキャナ８３、印刷機構８６のクリーニング、消耗品交換などのメンテナンス作業においても、同様に、上流側および下流側開閉カバー３１、３２を開けることができる。これらを開けると、これらの部分８４、８２、８３、８６が露出状態になる。したがって、メンテナンス作業を簡単に行うことができる。また、これらメンテナンス対象の部品以外の部品は、装置ケース２の内部に収納しておくことにより、作業時に損傷を受けることを回避できる。
【００３８】
このように、上流側開閉カバー３１および下流側開閉カバー３２を共通の支軸３３を中心として開けるという簡単な操作によって小切手搬送路５を開放状態に切り替えることができ、これらを支軸３３を中心として閉じるという簡単な操作によって開放状態の小切手搬送路５を元の状態に戻すことができる。したがって、小切手搬送路５を開放状態に切り替えて行われる作業を簡単に行うことができ、作業時に小切手読取装置１の内蔵部品を損傷してしまうことを防止でき、また、作業時に指先などに怪我を負うおそれもない。
【００３９】
さらに、上流側および下流側開閉カバー３１、３２を別個のロック機構によって閉じ位置にロックしているので、それらを精度良く閉じ位置に保持することができる。
【００４０】
なお、本発明は、小切手や手形、請求書などの小切手類を処理する小切手読取装置以外の媒体処理装置に対しても同様に適用可能である。たとえば、入場券などのチケットの読取装置として用いることもできる。
【図面の簡単な説明】
【００４１】
【図１】本発明を適用した小切手読取装置の外観斜視図である。
【図２】小切手搬送路を開放した状態の小切手読取装置を示す外観斜視図である。
【図３】図２の小切手読取装置を反対側から見た場合の外観斜視図である。
【図４】小切手読取装置の内部構造を示す説明図である。
【符号の説明】
【００４２】
１  小切手読取装置、２  装置ケース、３  開閉カバー、４  小切手、４Ａ  磁気インク文字列、４ａ  表面、４ｂ  裏面、５  搬送路、６  小切手送り出し通路、７  小切手供給部、８，９  分岐通路、１１  第１小切手排出部、１２  第２小切手排出部、２１  外周側面部分、２２  中央ケース部分、２３，２４  側方ケース部分、２５  仕切り用ケース部分、３１  上流側開閉カバー、３１ａ  先端部、３１ｂ  後端部、３２  下流側開閉カバー、３２ａ  先端部、３３  支軸、３４  カバー側係合突起、３５  係合突起、３６  スライドボタン、３７  カバー側係合突起、３８  係合突起、４１  繰り出しローラ、４２  送り出しローラ、４３  リタードローラ、４４  送り出し用モータ、４５  ホッパ、５１  上流側搬送路部分、５２  下流側搬送路部分、６１〜６６  第１〜第６搬送ローラ、６７  搬送用モータ、７１〜７６  第１〜第６押圧ローラ、８１  磁石、８２  表面側コンタクトイメージスキャナ、８３  裏面側コンタクトイメージスキャナ、８４  磁気ヘッド、８５  押圧ローラ、８６  印刷機構、９１  用紙長検出器、９２  重送検出器、９３  ジャム検出器、９４  印刷検出器、９５  排出検出器、９６  切り替え板
【図１】
2008162750.tif 000003
【図２】
2008162750.tif 000004
【図３】
2008162750.tif 000005
【図４】
2008162750.tif 000006